(57)【要約】【課題】弾性を有する樹脂製の保持器で、金型が引き抜かれるポケット口辺部のダレにより生じる向きの方向性を容易に識別できるようにすることである。【解決手段】成形した金型が引き抜かれてポケット４の口辺部５ａにダレ６が生じた側で、環状板部３ａの各ポケット４の間に角錐凸状の識別マーク７を付与することにより、金型が引き抜かれるポケット４の口辺部５ａのダレ６により生じる向きの方向性を容易に識別できるようにした。【選択図】図２
2007107566.tif 000002
【特許請求の範囲】
【請求項１】
一対の軌道輪の対向面に設けた軌道溝間に、複数のボールを弾性を有する樹脂製保持器に保持し、この樹脂製保持器を、環状板部に前記ボールを収容する複数のポケットを形成し、これらのポケットの縦断面を両端の口辺部が狭まる中凹形状とするように金型で成形して、成形した金型をポケットから保持器のいずれか一方の幅端面側へ引き抜くようにしたスラスト玉軸受において、前記成形した金型が引き抜かれる側またはその反対側の前記保持器の幅端面に識別マークを付与したことを特徴とするスラスト玉軸受。
【請求項２】
前記識別マークを、前記環状板部のポケットの間に付与した凸状または凹状のマークとした請求項１に記載のスラスト玉軸受。
【発明の詳細な説明】
【技術分野】
【０００１】
本発明は、保持器を環状板部にボールを収容する複数のポケットを設けた弾性を有する樹脂製保持器とし、各ポケットの縦断面を両端の口辺部が狭まる中凹形状とするように金型で成形したスラスト玉軸受に関する。
【背景技術】
【０００２】
一対の軌道輪の対向面に設けた軌道溝間に複数のボールを保持器で保持したスラスト玉軸受には、保持器を環状板部にボールを収容する複数のポケットを設けた弾性を有する樹脂製保持器とし、各ポケットの縦断面を両端の口辺部が狭まる中凹形状とするように金型で成形して、金型の離型と、各ポケットへのボールの組み込みを可能としたものがある（例えば、特許文献１参照）。
【０００３】
【特許文献１】実公平７−２９２９９号公報（第１−７図）
【発明の開示】
【発明が解決しようとする課題】
【０００４】
特許文献１に記載されたスラスト玉軸受のように、保持器を環状板部にボールを収容する複数のポケットを設けた弾性を有する樹脂製保持器とし、各ポケットの縦断面を両端の口辺部が狭まる中凹形状とするように金型で成形したものでは、縦断面を中凹形状に成形した金型を離型の際にポケットから引き抜くときに、金型が引き抜かれる側のポケットの口辺部にダレが生じることがある。
【０００５】
この金型が引き抜かれてダレが生じたポケットの口辺部は、反対側の口辺部よりも口径が拡がるので、ポケットに収容されるボールがこの口径の拡がった口辺部側へ移動しやすくなる等の、保持器の向きに方向性が生じる。このため、保持器を軸受に組み込むときには、ポケットの口辺部にダレが生じた側を識別して、保持器の向きを所定の方向に合わせる必要がある。しかしながら、ダレが生じた側とダレが生じていない側とを目視で識別することが難しく、保持器を誤った向きで軸受に組み込む恐れがある。
【０００６】
そこで、本発明の課題は、弾性を有する樹脂製の保持器で、金型が引き抜かれるポケット口辺部のダレにより生じる向きの方向性を容易に識別できるようにすることである。
【課題を解決するための手段】
【０００７】
上記の課題を解決するために、本発明は、一対の軌道輪の対向面に設けた軌道溝間に、複数のボールを弾性を有する樹脂製保持器に保持し、この樹脂製保持器を、環状板部に前記ボールを収容する複数のポケットを形成し、これらのポケットの縦断面を両端の口辺部が狭まる中凹形状とするように金型で成形して、成形した金型をポケットから保持器のいずれか一方の幅端面側へ引き抜くようにしたスラスト玉軸受において、前記成形した金型が引き抜かれる側またはその反対側の前記保持器の幅端面に識別マークを付与した構成を採用した。
【０００８】
すなわち、成形した金型が引き抜かれる側またはその反対側の保持器の幅端面に識別マークを付与することにより、金型が引き抜かれるポケット口辺部のダレにより生じる向きの方向性を容易に識別できるようにした。
【０００９】
前記識別マークは、前記環状板部のポケットの間に付与した凸状または凹状のマークとすることができる。
【発明の効果】
【００１０】
本発明のスラスト玉軸受は、成形した金型が引き抜かれる側またはその反対側の保持器の幅端面に識別マークを付与したので、金型が引き抜かれるポケット口辺部のダレにより生じる向きの方向性を容易に識別することができ、保持器を誤った向きで軸受に組み込む恐れをなくすことができる。
【発明を実施するための最良の形態】
【００１１】
以下、図面に基づき、本発明の実施形態を説明する。このスラスト玉軸受は、図１に示すように、一対の軌道輪１の対向面に設けた軌道溝１ａ間に、複数のボール２を弾性を有する樹脂製保持器３に保持したものである。
【００１２】
図２（ａ）、（ｂ）に示すように、前記保持器３は、環状板部３ａにボール２を収容する複数のポケット４を形成し、各ポケット４の縦断面を両端の口辺部５ａ、５ｂが狭まる中凹形状とするように金型で成形したものであり、成形した金型が引き抜かれたポケット４の一方の口辺部５ａにダレ６が生じて、その口径が反対側の口辺部５ｂの口径よりも拡がっている。
【００１３】
図２（ａ）、（ｃ）に示すように、前記金型が引き抜かれてポケット４の口辺部５ａにダレ６が生じた側の環状板部３ａの各ポケット４の間には、角錐凸状の識別マーク７が付与され、口辺部５ａのダレ６により生じる保持器３の向きの方向性を容易に識別できるようになっている。なお、環状板部３ａの内外周縁には、保持器３の両幅端面から突出し、凸状の識別マーク７の高さよりも高い鍔８が設けられている。
【００１４】
図３乃至図７は、前記識別マーク７の変形例を示す。図３（ａ）、（ｂ）は凸椀状の識別マーク７、図４（ａ）、（ｂ）は角段丘状の識別マーク７、図５（ａ）、（ｂ）は丸段丘状の識別マーク７、図６（ａ）、（ｂ）は凹椀状の識別マーク７、図７（ａ）、（ｂ）は丸穴状の識別マーク７である。なお、これらの識別マーク７は必ずしも全てのポケット４間に付与する必要はなく、凹椀状と丸穴状の識別マーク７は、それぞれ金型のゲート痕や押し出しピン痕としてもよい。
【００１５】
上述した実施形態では、識別マークをポケットの口辺部にダレが生じた側の環状板部の各ポケットの間に設けたが、識別マークはダレが生じた側と反対側に設けてもよく、その形態や付与位置も実施形態や各変形例のものに限定されることはない。
【図面の簡単な説明】
【００１６】
【図１】スラスト玉軸受の実施形態を示す縦断面図
【図２】ａは図１の保持器を示す平面図、ｂはａのIIb−IIb線に沿った断面図、ｃはａのIIc−IIc線に沿った断面図
【図３】ａは図２の識別マークの変形例を示す平面図、ｂはａのIIIb−IIIb線に沿った断面図
【図４】ａは図２の識別マークの変形例を示す平面図、ｂはａのIVb−IVb線に沿った断面図
【図５】ａは図２の識別マークの変形例を示す平面図、ｂはａのVb−Vb線に沿った断面図
【図６】ａは図２の識別マークの変形例を示す平面図、ｂはａのVIb−VIb線に沿った断面図
【図７】ａは図２の識別マークの変形例を示す平面図、ｂはａのVIIb−VIIb線に沿った断面図
【符号の説明】
【００１７】
１  軌道輪
１ａ  軌道溝
２  ボール
３  保持器
３ａ  環状板部
４  ポケット
５ａ、５ｂ  口辺部
６  ダレ
７  識別マーク
８  鍔
【図１】
2007107566.tif 000003
【図２】
2007107566.tif 000004
【図３】
2007107566.tif 000005
【図４】
2007107566.tif 000006
【図５】
2007107566.tif 000007
【図６】
2007107566.tif 000008
【図７】
2007107566.tif 000009